【事件の表示】
　平成１１年特許願第３６９６５号「液晶ディスプレイモニターのバックライトの使用状態表示装置及び表示方法」拒絶査定に対する審判事件［平成１１年１１月９日出願公開、特開平１１−３１１７８３］について、次のとおり審決する。
【結　論】
　本件審判の請求は、成り立たない。
【理　由】
１．手続の経緯・本願発明
　本願は、平成１１年２月１６日（パリ条約による優先権主張１９９８年２月１７日、大韓民国）の出願であって、その特許請求の範囲の請求項１及び２に係る発明は、平成１２年５月１５日付け、及び平成１２年１１月２２日付けの手続補正書によって補正された明細書及び図面の記載からみて、その請求項１及び２に記載されたとおりのものと認められるところ、その請求項１に記載された発明は次のものである。
 「少なくとも、キー入力部と、バックライトデータ処理部と、前記バックライトデータ処理部から出力された出力信号に応じて駆動電圧を出力する電源制御部と、前記電源制御部から駆動電源を受けて各バックライトをオンさせるバックライト駆動部とを備えた液晶ディスプレイモニターのバックライト使用状態表示装置であって、
　前記バックライトデータ処理部は、前記キー入力部からのバックライト駆動信号を受けるマイクロプロセッサと、前記マイクロプロセッサに接続された記憶格納部と、前記マイクロプロセッサに接続されたオンスクリンディスプレイ部と、前記オンスクリンディスプレイ部に接続されたディジタル映像処理部とを備え、
　前記記憶格納部は、現時点のバックライトの使用時間を格納し、
　前記マイクロプロセッサは、前記バックライト駆動信号がオンのときに、前記記憶格納部に格納された使用時間を読み出し、読み出した時点で前記電源制御部から駆動電圧が出力されてバックライトをオンさせると共に、バックライトの使用時間をカウントアップして前記記憶格納部に格納し、さらに現時点におけるバックライトの使用時間と既設定されたバックライトの最大使用時間とを周期的に比較してカウントし、前記比較の結果、前記バックライトの使用時間が前記バックライトの最大使用時間を超過すると、前記バックライトの交換指示のメッセージを前記オンスクリンディスプレイ部に出力し、
　前記オンスクリンディスプレイ部は、前記ディジタル映像処理部から入力された水平及び垂直同期信号の周期内で、前記マイクロプロセッサから入力された前記バックライトの交換指示のメッセージを色信号に処理して前記ディジタル映像処理部に出力し、
　前記ディジタル映像処理部は、前記オンスクリンディスプレイ部から出力された色信号を映像に処理してバックライトの交換指示のメッセージ表示を行うようにしたことを特徴とする液晶ディスプレイモニターのバックライト使用状態表示装置。」（以下、「本願発明」という。）
　
２．引用刊行物
　これに対して、原査定の拒絶理由に引用された特開平４−５６２２号公報（以下、「引用例」という。）には、次の事項が記載されている。
（１）「従来の技術」の項には、「以下、図面を参照しながら上述した液晶ライトバルブ方式投射型表示装置の光源の寿命モニタについて説明する。第３図は従来の構成図で光源１と、液晶パネルと偏光板からなる光シャッタ２と、投射レンズ３と、光源駆動回路４と、光源１の点灯検出回路９と、電源リレー５と制御回路６から構成される。制御回路６は電源オンの操作信号を受けると電源リレー５をオンする。その結果、光源駆動回路４が動作して光源１が発光する。光シャッタ２は映像信号で制御された投射レンズ３によりスクリーン上に拡大した映像が投射される。」（１頁右欄１０行〜２頁左上欄１行）と記載される。
（２）「実施例」の項には、「以下、本発明の一実施例を第１図を参照しながら説明する。第１図は第３図の従来の構成に光源の点灯積算時間を記憶するメモリ７と光源の交換表示回路８をあらたに構成したものである。制御回路６は点灯検出回路９の出力より光源１の点灯時間を積算し特定の周期でメモリ７に書き込み積算時間の更新をおこなう。上記メモリ７はＭＮＯＳのような不揮発性メモリを使用するか、あるいはバッテリで制御回路６などの電源がオフした際に積算時間の保持をおこなう。交換表示回路８は、例えば“ランプ交換”などの文字を表示するキャラクタジェネレータで構成し、通常の映像信号にスーパーインポーズしてスクリーン上に表示する。
　以上の構成の光源１の寿命モニタの制御アルゴリズムの一例を第２図に示す。まず制御回路６はメモリ７から点灯積算時間Ｔを読み込み、つぎに点灯検出信号により光源が点灯しているかどうか判定し、点灯の場合は他の制御ルーチンを実行した後、積算時間Ｔにプログラムの周期ｔを加える。その結果をメモリ７に書き込み点灯積算時間の更新をおこなう。次に積算時間Ｔと所定の時間Ｔ１を比較しＴ１未満であれば第２図に示したもとのルーチンに戻り所定の時間Ｔ１以上であれば光源の交換表示をおこなう。」（２頁左下欄６行〜２頁右下欄９行）と記載される。
（３）引用例の第１図には、「メモリ７」が「制御回路６」に接続されていることがみてとれ、「光源の交換表示回路８」が「制御回路６」に接続されていることがみてとれる。
　
３．対比・判断
　本願発明と引用例に記載された発明とを対比する。
（１）引用例のものは、「電源オンの操作信号を受けると電源リレー５をオン」させるものであるから、電源オンの操作信号を受ける何らかの「入力部」を有することは明らかである。
　また、引用例の「光源１」から発光された光は、液晶パネルと偏光板からなる光シャッタ２を通過後、スクリーン上に映像が投射されるのであるから、引用例の「光源１」は本願発明の「バックライト」に相当する。そして、引用例の「液晶ライトバルブ方式投射型表示装置の光源の寿命モニタ」は、本願発明の「液晶ディスプレイモニターのバックライト使用状態表示装置」に相当する。
（２）引用例の「光源駆動回路４」は、電源リレー５がオンされると光源１を発光させる動作をする駆動回路であるから、本願発明にいう「出力信号に応じて駆動電圧を出力する電源制御部と、前記電源制御部から駆動電源を受けて各バックライトをオンさせるバックライト駆動部」を備えた回路であるといえる。
（３）引用例の「メモリ７」は光源の点灯積算時間を記憶するものであるから、本願発明の「現時点のバックライトの使用時間を格納」する「記憶格納部」に相当する。
（４）引用例の「光源の交換表示回路８」は、「交換表示回路８は、例えば“ランプ交換”などの文字を表示するキャラクタジェネレータで構成し、通常の映像信号にスーパーインポーズしてスクリーン上に表示する」ものとして記載されており、また本願発明の「オンスクリンディスプレイ部」及び「ディジタル映像処理部」は、「前記ディジタル映像処理部から入力された水平及び垂直同期信号の周期内で、前記マイクロプロセッサから入力された前記バックライトの交換指示のメッセージを」「信号に処理して前記ディジタル映像処理部に出力」、「オンスクリンディスプレイ部から出力された」「信号を映像に処理してバックライトの交換指示のメッセージ表示を行う」ものであるから、引用例の「光源の交換表示回路８」と本願発明の「オンスクリンディスプレイ部」及び「ディジタル映像処理部」は上記機能について同様であって、その点において対応するものである。
（５）引用例のものは、「制御回路６」、「メモリ７」、及び「光源の交換表示回路８」を備えており、上記したとおり、これらは本願発明の「マイクロプロセッサ」、「記憶格納部」、「オンスクリンディスプレイ部及びディジタル映像処理部を備えたバックライトデータ処理部」に相当するのであるから、これらを備えた「バックライトデータ処理部」に対応する技術的事項を、引用例も同様に備えているといえる。
（６）引用例には、「制御回路６は点灯検出回路９の出力より光源１の点灯時間を積算し特定の周期でメモリ７に書き込み積算時間の更新をおこなう」こと、「メモリ７から点灯積算時間Ｔを読み込み、つぎに点灯検出信号により光源が点灯しているかどうか判定し、点灯の場合は他の制御ルーチンを実行した後、積算時間Ｔにプログラムの周期ｔを加え、その結果をメモリ７に書き込み点灯積算時間の更新をおこない、次に積算時間Ｔと所定の時間Ｔ１を比較しＴ１未満であれば第２図に示したもとのルーチンに戻り所定の時間Ｔ１以上であれば光源の交換表示をおこなう」ものであること、及び「制御回路６は電源オンの操作信号を受けると電源リレー５をオンする。その結果、光源駆動回路４が動作して光源１が発光する。」が記載されていることから、引用例の「制御回路６」の機能は、本願発明の「マイクロプロセッサ」の機能と同様である。
　したがって、引用例の「制御回路６」は本願発明の「マイクロプロセッサ」に相当するとともに、引用例は、本願発明の「前記マイクロプロセッサは、前記バックライト駆動信号がオンのときに、前記記憶格納部に格納された使用時間を読み出し、読み出した時点で前記電源制御部から駆動電圧が出力されてバックライトをオンさせると共に、バックライトの使用時間をカウントアップして前記記憶格納部に格納し、さらに現時点におけるバックライトの使用時間と既設定されたバックライトの最大使用時間とを周期的に比較してカウントし、前記比較の結果、前記バックライトの使用時間が前記バックライトの最大使用時間を超過すると、前記バックライトの交換指示のメッセージを前記オンスクリンディスプレイ部に出力し」に対応する技術的事項を有するものである。
（７）引用例の「実施例」の記載及び第１図から明らかなように、引用例の「メモリ７」は「制御回路６（本願発明の「マイクロプロセッサ」）」に接続されている。同様に引用例の「光源の交換表示回路８」は「制御回路６（本願発明の「マイクロプロセッサ」）」に接続されている。このことは引用例が、本願発明の「オンスクリンディスプレイ部がマイクロプロセッサに接続され、ディジタル映像処理部が前記オンスクリンディスプレイ部に接続される」ことを開示することを示すものである。
　
　上記考察（１）〜（７）から、両者は、「少なくとも、入力部と、バックライトデータ処理部と、前記バックライトデータ処理部から出力された出力信号に応じて駆動電圧を出力する電源制御部と、前記電源制御部から駆動電源を受けて各バックライトをオンさせるバックライト駆動部とを備えた液晶ディスプレイモニターのバックライト使用状態表示装置であって、前記バックライトデータ処理部は、前記入力部からのバックライト駆動信号を受けるマイクロプロセッサと、前記マイクロプロセッサに接続された記憶格納部と、前記マイクロプロセッサに接続されたオンスクリンディスプレイ部と、前記オンスクリンディスプレイ部に接続されたディジタル映像処理部とを備え、前記記憶格納部は、現時点のバックライトの使用時間を格納し、前記マイクロプロセッサは、前記バックライト駆動信号がオンのときに、前記記憶格納部に格納された使用時間を読み出し、読み出した時点で前記電源制御部から駆動電圧が出力されてバックライトをオンさせると共に、バックライトの使用時間をカウントアップして前記記憶格納部に格納し、さらに現時点におけるバックライトの使用時間と既設定されたバックライトの最大使用時間とを周期的に比較してカウントし、前記比較の結果、前記バックライトの使用時間が前記バックライトの最大使用時間を超過すると、前記バックライトの交換指示のメッセージを前記オンスクリンディスプレイ部に出力し、前記オンスクリンディスプレイ部は、前記マイクロプロセッサから入力された前記バックライトの交換指示のメッセージを信号に処理して前記ディジタル映像処理部に出力し、前記ディジタル映像処理部は、前記オンスクリンディスプレイ部から出力された信号を映像に処理してバックライトの交換指示のメッセージ表示を行うようにした液晶ディスプレイモニターのバックライト使用状態表示装置」である点で一致し、次の点で相違する。
　
相違点：
（１）バックライト駆動信号を出すための入力部が、本願発明は、「キー」によるものであるのに対して、引用例には入力部の具体的な記載がない点。
（２）本願発明は、オンスクリンディスプレイ部が、「ディジタル映像処理部から入力された水平及び垂直同期信号の周期内で」マイクロプロセッサから入力されたバックライトの交換指示のメッセージを信号に処理して前記ディジタル映像処理部に出力するのに対して、引用例では、どのような周期内で交換指示のメッセージを信号に処理して前記ディジタル映像処理部に出力するか不明な点。
（３）本願発明は、バックライトの交換指示のメッセージの信号が、「色」信号であるのに対し、引用例のものは、該信号が色信号であるかどうか不明である点。
　
　上記相違点（１）ないし（３）について検討する。
相違点（１）について：
　キーによる入力手段は通常用いられている（「キーボード」と通称されている。）ものであるから、上記相違点（１）の事項とすることは、当業者が適宜設計し得る事項である。
相違点（２）について：
　オンスクリンディスプレイ部が、ディジタル映像処理部から入力された水平及び垂直同期信号の周期内で、交換指示のメッセージを信号処理するようにすることは、映像信号が水平及び垂直同期信号を単位として処理されていることから見て格別の困難性はないから、上記相違点（２）の事項とすることは、当業者が適宜設計し得る事項である。
相違点（３）について：
　液晶ディスプレイモニターをカラー表示とすることは常套手段である。
　その場合に、液晶ディスプレイモニターの画面上に表示される“バックライトの交換指示のメッセージ表示”を色表示とすることは通常行うことにすぎない。よって、上記相違点（３）の事項とすることは、当業者が適宜設計し得る事項である。
　
４．むすび
　したがって、本願発明は、引用例に記載された発明に基いて当業者が容易に発明をすることができたものであるから、特許法第２９条第２項の規定により特許を受けることができない。
　よって、結論のとおり審決する。